(57)【要約】      （修正有）【課題】内容物を充填した状態における、形状安定性に優れ、落下時の破袋を効果的に防止でき、操作性に優れたガセット袋を提供する。【解決手段】前面部１１と後面部の左右両側部間に左右１対の折込部１３を設けたガセット袋１０であって、左右１対の折込部は、２つ折りにされて前後に重ね合わされる折込前部１３ａ及び折込後部１３ｂと、三角形状に折り曲げてなる三角フラップ１３ｃとをそれぞれ有し、袋本体１６の左右両側部には、折込前部の側部と前面部の側部とを溶着してなる第１側部シール部１６ａと、折込後部の側部と後面部の側部とを溶着してなる第２側部シール部１６ｂとがそれぞれ形成され、左右１対の折込部の高さ方向の途中部に、前後に配置される第１側部シール部と第２側部シール部とを溶着してなるスポット溶着部１７を設けた。【選択図】図１
2019199302.tif 000002
【特許請求の範囲】
【請求項１】
前面部及び後面部と、前記前面部及び前記後面部の左右両側部間に設けた左右１対の折込部と、底面部とを有する、シート材からなる袋本体を備えたガセット袋であって、
前記左右１対の折込部は、幅方向の途中部において２つ折りにされて前後に重ね合わされる折込前部及び折込後部と、前後に重ね合わせた前記折込前部及び前記折込後部の上部の内方側の角部を三角形状に折り曲げてなる三角フラップとをそれぞれ有し、
前記袋本体の左右両側部には、前記折込前部の側部と前記前面部の側部とを溶着してなる第１側部シール部と、前記折込後部の側部と前記後面部の側部とを溶着してなる第２側部シール部とがそれぞれ形成され、
前記左右１対の折込部の少なくとも一方の高さ方向の途中部に、前後に配置される前記第１側部シール部と前記第２側部シール部とを溶着してなるスポット溶着部が設けられている、
ことを特徴とするガセット袋。
【請求項２】
前記第１側部シール部及び前記第２側部シール部の上部に幅広な補強シール部がそれぞれ形成され、前記補強シール部に前記スポット溶着部が設けられている請求項１項記載のガセット袋。
【請求項３】
前記三角フラップの形成位置に前記スポット溶着部が設けられている請求項１又は２記載のガセット袋。
【請求項４】
前記折込部の縦折目線と前記スポット溶着部間に、把手部材のフック部又は指先を挿入するための、前記第１側部シール部と前記第２側部シール部とを溶着していない挿入部が形成されている請求項１〜３のいずれか１項記載のガセット袋。
【請求項５】
前記スポット溶着部を付属品の取付部となした請求項１〜４のいずれか１項記載のガセット袋。
【請求項６】
前後に配置される前記第１側部シール部と前記第２側部シール部間を前記付属品の収容部となした請求項５記載のガセット袋。
【請求項７】
前記スポット溶着部を環状に形成し、該スポット溶着部の中央部側に貫通孔を設けた請求項１〜６のいずれか１項記載のガセット袋。
【請求項８】
前記貫通孔に途中部を挿通させて、前記第１側部シール部と前記第２側部シール部とを連結する連結具を設けた請求項７記載のガセット袋。
【請求項９】
前記請求項１〜６のいずれか１項記載のガセット袋における前記スポット溶着部に代えて、前記スポット溶着部の形成位置に対応させて、前記第１側部シール部及び前記第２側部シール部を貫通する貫通孔を設けるとともに、前記貫通孔に途中部を挿通させて前記第１側部シール部と前記第２側部シール部とを連結する連結具を設けたガセット袋。
【発明の詳細な説明】
【技術分野】
【０００１】
本発明は、袋本体の左右両側部に折込部を設けたガセット袋に関する。
【背景技術】
【０００２】
液状などの内容物を収容する袋として、前面部及び後面部と、前面部及び後面部の左右両側部間に設けた左右１対の折込部と、底面部とを有する合成樹脂製のシート材を用いてなる袋本体を備え、折込部を幅方向の途中部において２つ折りにして前後に重ね合わされる折込前部及び折込後部で構成し、袋本体の左右両側部に、折込前部の側部と前面部の側部とを溶着してなる第１側部シール部と、折込後部の側部と後面部の側部とを溶着してなる第２側部シール部とをそれぞれ形成したガセット袋が広く採用されている。
【０００３】
また、左右１対の折込部の上部に内方側の角部を三角形状に折り曲げてなる三角フラップを設け、左右１対の折込部を袋本体の上端部まで設けないように構成することで、シール性能を低下させることなく、袋本体の上端部の任意の位置に対してスパウトを配設可能に構成したガセット袋も提案されている（例えば、特許文献１参照。）。
【０００４】
更に、袋本体の左右両側部にそれぞれ設けられる第１側部シール部及び第２側部シール部の上部に、上側へ行くにしたがって幅広な補強シール部を設けることで、補強シール部に対応する位置におけるマチを少なくして、ガセット袋に内容物を充填した状態で、内容物の重量により折込部が側方へ膨出しないように構成して、ガセット袋の意匠性を向上したものも提案されている（例えば、特許文献２参照。）。
【先行技術文献】
【特許文献】
【０００５】
【特許文献１】特開２０１４−１８４９８２号公報
【特許文献２】特開２０１７−０９５１７８号公報
【発明の概要】
【発明が解決しようとする課題】
【０００６】
ところが、特許文献１、２記載の発明に基づいて製作した、例えば１リットル以上の大容量のガセット袋では、内容物を充填してガセット袋を水平面に設置したときに、内容物の重量により、袋本体の前面部及び後面部の下部と、左右の折込部の下部とが外方側へ膨らんで、前面部及び後面部の上部が殆ど隙間なく接近して密着するとともに、前面部及び後面部の膨らみの稜線が、両端部が三角フラップの斜辺に沿うように伸びる略Ｖ字状に形成され、前面部及び後面部の幅方向の中央部が窪んで、該窪みの谷線に沿ってガセット袋の上部が前側或いは後側へ倒れ込み、ガセット袋の意匠性が低下したり、商品名等を印刷した前面部が見づらくなったりするという問題があった。
【０００７】
この問題を解決するため、ガセット袋を構成するシート材として厚肉なものを使用することも考えられる。しかし、シート材を厚肉に構成すると、ガセット袋の素材コストが高くなるとともに、シート材の溶着時間が長くなり、生産性が低下するという別の問題が発生する。
【０００８】
また、特許文献１、２記載のガセット袋では、内容物を充填した状態で落下したときに、三角フラップに対応する折込部の上部の突出方向が内側から外側へ反転して、折込部が外方へ突出し、三角フラップの外端部の角部に応力集中が発生して、ガセット袋が該角部から破袋するという問題があった。
【０００９】
更に、ガセット袋は、軟質なシート材で構成されて形状が安定しないことから、１リットル以上の大容量のガセット袋では、大変持ち難くなるという問題もある。
【００１０】
本発明の目的は、内容物を充填した状態における、形状安定性に優れ、落下時の破袋を効果的に防止でき、操作性に優れたガセット袋を提供することである。
【課題を解決するための手段】
【００１１】
本発明は、以下の発明を包含する。
（１）  前面部及び後面部と、前記前面部及び前記後面部の左右両側部間に設けた左右１対の折込部と、底面部とを有する、シート材からなる袋本体を備えたガセット袋であって、前記左右１対の折込部は、幅方向の途中部において２つ折りにされて前後に重ね合わされる折込前部及び折込後部と、前後に重ね合わせた前記折込前部及び前記折込後部の上部の内方側の角部を三角形状に折り曲げてなる三角フラップとをそれぞれ有し、前記袋本体の左右両側部には、前記折込前部の側部と前記前面部の側部とを溶着してなる第１側部シール部と、前記折込後部の側部と前記後面部の側部とを溶着してなる第２側部シール部とがそれぞれ形成され、前記左右１対の折込部の少なくとも一方の高さ方向の途中部に、前後に配置される前記第１側部シール部と前記第２側部シール部とを溶着してなるスポット溶着部が設けられている、ことを特徴とするガセット袋。なお、本明細書においてシート材とは、厚みに関して厳密な意味を有するものではなく、フィルム材及びシート材を含む総称として用いるものとする。
【００１２】
このガセット袋では、袋本体の左右に折込部を設けているので、左右の折込部が展開することで、ガセット袋の内容量を大きく設定できる。また、左右の折込部の上部に三角フラップがそれぞれ形成されているので、シール性能を低下させることなく、袋本体の上端部の任意の位置に対してスパウトを設けるなどして注出口を形成することができる。更に、このガセット袋では、内容物を充填した状態で、底面部をテーブル等の設置面に載せて、ガセット袋を縦向きに自立設置できるが、左右の折込部の少なくとも一方の高さ方向の途中部に、前後に配置される第１側部シール部と第２側部シール部とを溶着するスポット溶着部を設けているので、内容物を充填した状態で、前面部の上半部に幅方向の略中央部を中心として前方へ山形に突出する、正面視が頂部を上側にした二等辺三角形状の隆起部が形成されるとともに、後面部の上半部に幅方向の略中央部を中心として後方へ山形に突出する、背面視が頂部を上側にした二等辺三角形状の隆起部が形成され、両隆起部の稜線が袋本体の幅方向の中央部に上下方向に形成されるので、袋本体の上部が前側又は後側へ倒れ込むことが防止されて、ガセット袋を縦向きに自立設置した状態での形状安定性を向上でき、ガセット袋の意匠性を向上できる。更にまた、ガセット袋の落下時における折込部の外方側への移動が、スポット溶着部により阻止されるので、折込部が外方側へ突出して破袋するという不具合を効果的に防止できる。また、一方の手の指をスポット溶着部に引っ掛けて、ガセット袋を支持できるので、握力の弱い女性や子供、お年寄りでも、ガセット袋を傾動操作して、内容物を容易に注出することができる。更に、別途に設けた把手部材のフック部をスポット溶着部に引っ掛けて、ガセット袋を持ち運ぶこともできる。
【００１３】
（２）  前記第１側部シール部及び前記第２側部シール部の上部に幅広な補強シール部がそれぞれ形成され、前記補強シール部に前記スポット溶着部が設けられている前記（１）記載のガセット袋。スポット溶着部は、第１側部シール部及び第２側部シール部が形成されている領域内であれば任意の位置に形成できるが、側部シール部の上部に設けた補強シール部に形成すると、シール幅を十分に確保しつつ、スポット溶着部を形成することができる。また、補強シール部を設けることで、折込部の上部のマチを少なくして、例えば１リットル以上の大容量にガセット袋を構成する場合でも、内容物の重量により折込部が外方へ突出して、ガセット袋の意匠性が低下することを防止できる。また、ガセット袋の落下時に、補強シール部によっても、折込部が外方へ突出することを防止できる。
【００１４】
（３）  前記三角フラップの形成位置に前記スポット溶着部が設けられている前記（１）又は（２）記載のガセット袋。このように構成すると、落下時の衝撃で、三角フラップの突出方向が外側へ反転することが、スポット溶着部により効果的に防止されるので、外側へ反転した三角フラップの外端部の角部からガセット袋が破袋することを確実に防止できる。
【００１５】
（４）  前記折込部の縦折目線と前記スポット溶着部間に、把手部材のフック部又は指先を挿入するための、前記第１側部シール部と前記第２側部シール部とを溶着していない挿入部が形成されている前記（１）〜（３）のいずれかに記載のガセット袋。この場合には、一方の手の指をスポット溶着部に引っ掛けて、ガセット袋を支持できるので、内容物の注出時やガセット袋の持ち運び時におけるガセット袋の操作性を向上できる。
【００１６】
（５）  前記スポット溶着部を付属品の取付部となした前記（１）〜（４）のいずれかに記載のガセット袋。この場合には、付属品として、注出具の口部に着脱自在に取り付けられるノズル部材、前記（４）記載した把手部材、ガセット袋に収容する内容物の取り扱い説明書、内容物に関連する景品などを、スポット溶着部に紐などの取付具を用いてガセット袋に付属させることができる。
【００１７】
（６）  前後に配置される前記第１側部シール部と前記第２側部シール部間を前記付属品の収容部となした前記（５）記載のガセット袋。この場合には、付属品を収容部に収容することで、付属品がガセット袋の外方側へ大きく突出することを防止できるので好ましい。
【００１８】
（７）  前記スポット溶着部を環状に形成し、該スポット溶着部の中央部側に貫通孔を設けた前記（１）〜（６）のいずれかに記載のガセット袋。この場合には、貫通孔に紐などを通して、ガセット袋に付属品を付属できる。
【００１９】
（８）  前記貫通孔に途中部を挿通させて、前記第１側部シール部と前記第２側部シール部とを連結する連結具を設けた前記（７）記載のガセット袋。この場合には、ガセット袋の落下時に、スポット溶着部が万一破損して、スポット溶着部において第１側部シール部と第２側部シール部とが分離した場合でも、連結具により第１側部シール部と第２側部シール部との連結状態が維持されるので、スポット溶着部が破損していない場合と同様に、ガセット袋を縦向きに自立設置した状態での形状安定性を向上でき、ガセット袋の意匠性を向上できること、ガセット袋の落下時に折込部が外方側へ突出して破袋するという不具合を効果的に防止できること、一方の手の指を連結具に引っ掛けて、内容物を容易に注出できること、別途に設けた把手部材のフック部を連結具に引っ掛けて、ガセット袋を容易に持ち運べること、などの作用が得られる。
【００２０】
（９）  前記（１）〜（６）のいずれかに項記載のガセット袋における前記スポット溶着部に代えて、前記スポット溶着部の形成位置に対応させて、前記第１側部シール部及び前記第２側部シール部を貫通する貫通孔を設けるとともに、前記貫通孔に途中部を挿通させて前記第１側部シール部と前記第２側部シール部とを連結する連結具を設けたガセット袋。この場合には、スポット溶着部を設けた場合と同様に、ガセット袋を縦向きに自立設置した状態での形状安定性を向上でき、ガセット袋の意匠性を向上できること、ガセット袋の落下時に折込部が外方側へ突出して破袋するという不具合を効果的に防止できること、一方の手の指を連結具に引っ掛けて、内容物を容易に注出できること、別途に設けた把手部材のフック部を連結具に引っ掛けて、ガセット袋を容易に持ち運べること、などの作用効果が得られる。
【発明の効果】
【００２１】
本発明に係るガセット袋によれば、内容量を大きく設定できること、シール性能を低下させることなく注出口を形成できること、内容物を充填して縦向きに設置した状態において、袋本体の上部が前側又は後側へ倒れ込むことを防止して、ガセット袋の形状安定性を向上でき、ガセット袋の意匠性を向上できること、折込部が外方側へ突出して破袋するという落下時の不具合を効果的に防止できること、内容物の注出やガセット袋の持ち運び時におけるガセット袋の操作性を向上できること、などの効果が得られる。
【図面の簡単な説明】
【００２２】
【図１】図１は、内容物を充填した状態でのガセット袋の斜視図である。
【図２】図２は、図１のII-II線断面図である。
【図３】図３は、平板状に折り畳んだ状態でのガセット袋の正面図である。
【図４】図４は、ガセット袋の分解斜視図である。
【図５】図５（Ａ）は、折込部を展開した状態でのシート材の説明図であり、図５（Ｂ）は、折込部の折り方の説明図である。
【図６】図６は、他の構成の補強シール部を形成したガセット袋の正面図である。
【図７】図７は、他の構成の補強シール部を形成したガセット袋の正面図である。
【図８】図８は、他の構成の補強シール部を形成したガセット袋の正面図である。
【図９】図９は、右側にのみ補強シール部を形成した他の構成のガセット袋の正面図である。
【図１０】図１０は、注出具の取付位置を変更した他の構成のガセット袋の正面図である。
【図１１】図１１（Ａ）〜（Ｄ）は、それぞれ他の構成のスポット溶着部を備えたガセット袋の要部正面図である。
【図１２】図１２は、把手部材を取り付けたガセット袋の斜視図である。
【図１３】図１３は、図１２のXIII-XIII線断面図である。
【図１４】図１４は、他の構成の把手部材を取り付けたガセット袋の図１３相当図である。
【図１５】図１５は、他の構成の把手部材を取り付けたガセット袋の図１３相当図である。
【図１６】図１６は、付属品を取り付けたガセット袋の図１３相当図である。
【図１７】図１７は、スポット溶着部に貫通孔を形成したガセット袋の要部正面図である。
【図１８】図１８は、他の構成の袋本体を備えたガセット袋の斜視図である。
【図１９】図１９は、平板状に折り畳んだ状態での同ガセット袋の正面図である。
【図２０】図２０は、連結具を設けたガセット袋の斜視図である。
【図２１】図２１は、連結具を取り除いた状態での同ガセット袋の要部正面図である。
【図２２】図２２は、連結具の断面図である。
【発明を実施するための形態】
【００２３】
以下、本発明の実施の形態について図面を参照しながら説明する。なお、本実施の形態では、図１を基準に前後左右及び上下を定義して説明する。また、シート材の溶着部分は網点で図示するものとする。
【００２４】
図１〜図４に示すように、ガセット袋１０は、前面部１１及び後面部１２と、前面部１１及び後面部１２の左右両側部間に設けた左右１対の折込部１３と、底面部１５とを有する、シート材からなる袋本体１６と、内容物Ｃを注出するために袋本体１６の上部に設けた注出具２０とを備えている。ただし、注出具２０に代えて、袋本体１６の上部に開封用の切取部を一体的に形成し、該切取部を切り取って内容物Ｃを注出可能に構成することもできる。
【００２５】
内容物Ｃとしては、液状や粉末状などの流動性を有するものが好適であるが、袋本体１６を加圧して取り出せるものであればゾル状やゲル状のものを収容することもできる。ガセット袋１０の実容量は、任意に設定可能であるが、本発明では袋本体１６の形状安定性が向上することから、実容量を１リットル以上に設定することができ、また実容量を２リットル以上に設定した場合であっても、内容物Ｃを充填した状態における、ガセット袋１０の上部の倒れ込みを効果的に防止できる。
【００２６】
袋本体１６を構成するシート材は、合成樹脂材料を用いた多層構造の軟質シートで構成されている。具体的には、内面部にヒートシールや超音波シールなどにより相互に溶着可能な、ポリオレフィン系樹脂などの熱可塑性合成樹脂材料からなるシーラント層を設け、外面部に、ガセット袋１０に収容する内容物Ｃに応じて、ガスバリア性、遮光性、耐薬品性、擦損性などの機能を有する機能性材料からなる機能層、例えばアルミニウムなどの金属箔層や金属蒸着層などの金属層などを含む、単層又は複数層の機能層を設け、外表面をヒートシールや超音波シールなどにより相互に溶着しない材料で構成した、多層シートで構成できる。
【００２７】
前面部１１と後面部１２とは、注出具２０を設ける位置を斜めに切り欠いた方形状のシート材で構成され、底面部１５は前面部１１及び後面部１２と同幅の方形状のシート材で構成されている。ただし、前面部１１及び後面部１２は、例えば図１０に示すように、注出具２０の取付位置などに応じて任意の正面形状に構成できる。
【００２８】
次に、左右の折込部１３について説明するが、両折込部１３は左右対称に構成されているので、左側の折込部１３について説明し、右側の折込部１３については、左側の折込部１３と同一部材には同一符号を付してその説明を省略する。ただし、左右の折込部１３としては、幅や高さの異なる左右非対称のものを採用することもできる。
【００２９】
左側の折込部１３は、図５（Ａ）に示すように、該折込部１３を展開した状態において、底面部１５の前後幅と略同幅で、前面部１１及び後面部１２の高さよりも短尺な方形状のシート材１３Ａを用いて構成されている。折込部１３は、シート材１３Ａの幅方向の略中央部の図５（Ａ）に示す縦折目線Ｌに沿ってシート材１３Ａを２つ折りにして、図４及び図５（Ｂ）に示すように、前後に重ね合わせた折込前部１３ａ及び折込後部１３ｂと、前後に重ね合わせた折込前部１３ａ及び折込後部１３ｂの上部の内方側の角部を第１折目線Ｌ１に沿って前側に三角形状に折り曲げて形成した三角フラップ１３ｃと、折込前部１３ａ及び折込後部１３ｂの下部の内方側の角部を第２折目線Ｌ２に沿って三角形状に内側へ折り込んだ下部折込部１３ｄとを備えている。なお、本実施の形態では、折込前部１３ａ及び折込後部１３ｂの上部の内方側の角部を第１折目線Ｌ１に沿って前側に折り曲げて三角フラップ１３ｃを形成したが、後側に折り曲げて三角フラップ１３ｃを形成することもできる。
【００３０】
袋本体１６の左右両側部には、折込前部１３ａの側部と前面部１１の側部とを溶着してなる第１側部シール部１６ａと、折込後部１３ｂの側部と後面部１２の側部とを溶着してなる第２側部シール部１６ｂと、前面部１１の側部と後面部１２の側部とを溶着してなる第３側部シール部１６ｃとがそれぞれ形成され、第３側部シール部１６ｃは第１側部シール部１６ａ及び第２側部シール部１６ｂの上端部から上方へ連なって設けられている。
【００３１】
第１側部シール部１６ａ及び第２側部シール部１６ｂの上部には幅広な補強シール部１６ｄがそれぞれ形成されている。補強シール部１６ｄは、飛行機の主翼のリブの側面形状、即ち三角フラップ１３ｃの下端縁付近において最も幅広で、上側へ行くにしたがって円弧を描くように幅狭となるとともに、下側に行くにしたがって傾斜状に緩やかに幅狭となる形状に構成されている。ただし、補強シール部１６ｄは、内容物Ｃを充填した状態で、折込部１３が外方へ膨出して、ガセット袋１０の意匠性が低下しない範囲において、任意の形状に形成することが可能で、例えば図６に示す補強シール部１６Ａｄのように正面視三角形状や、図７に示す補強シール部１６Ｂｄのように正面視台形状に形成することもできる。また、左右の折込部１３における補強シール部として、例えば図８に示すように補強シール部１６Ａｄ、１６Ｂｄを設けて、左右の補強シール部を異なる形状に構成したり、前後に配置される第１側部シール部１６ａと第２側部シール部１６ｂとを異なる形状に形成したりすることもできる。
【００３２】
このように幅広な補強シール部１６ｄを形成すると、例えば１リットル以上の大容量にガセット袋１０を構成する場合でも、内容物Ｃの重量により折込部１３が外方へ突出して、ガセット袋１０の意匠性が低下することを防止できるので好ましい。また、ガセット袋１０の落下時に、補強シール部１６ｄによっても、折込部１３が外方へ突出することを防止できる。ただし、左右の補強シール部１６ｄの少なくとも一方を省略し、補強シール部１６ｄを省略した側の袋本体１６の側部を略一様な幅の側部シール部１６ａ、１６ｂ、１６ｃでシールすることもできる。補強シール部１６ｄの一方を省略する場合には、図９に示すように、注出具２０側の補強シール部１６ｄを省略することが、後述のように、スポット溶着部１７に指を引っ掛けてガセット袋１０を傾動操作し、内容物Ｃを容易に注出できるので好ましい。また、補強シール部１６ｄの一方を省略する場合には、スポット溶着部１７の周囲においても十分なシール幅を確保すべく、補強シール部１６ｄを省略した側の側部シール部１６ａ、１６ｂの幅を全体的或いは部分的に幅広に構成することが好ましい。
【００３３】
袋本体１６の上部には前面部１１と後面部１２とを溶着してなる上部シール部１６ｅが形成され、袋本体１６の左側上部には注出具２０の舟形部２１を長さ方向の途中部に挟んで前面部１１と後面部１２とを溶着してなる傾斜シール部１６ｆが形成されている。袋本体１６の下端外周部には、底面部１５の外周部に対して、前面部１１の下部と後面部１２の下部と左右の折込部１３の下部とをそれぞれ溶着してなる底部シール部１６ｇが形成されている。
【００３４】
袋本体１６は、左右の折込部１３の折込前部１３ａと折込後部１３ｂとをそれぞれ重ねあわせるとともに、底面部１５をその前後方向の略中央部において山折にして重ね合わせることで、前面部１１と後面部１２とを重ね合わせて、略平板状に折り畳み可能に構成されている。
【００３５】
注出具２０は、舟形部２１と口部２２とを有するスパウト２３と、スパウト２３の口部２２に着脱可能に取り付けた蓋部材２４とを備えた周知の構成のものである。
【００３６】
スパウト２３は、図１〜図４に示すように、左右方向の略中央部が前後方向に幅広で、両端部側へ行くにしたがって幅狭に構成した舟形形状の高さを有する舟形部２１と、舟形部２１の上面中央部から上方へ向けて突出状に設けた筒状の口部２２とを備え、袋本体１６の内面に対して相溶性を有するポリオレフィン系樹脂などの熱可塑性合成樹脂材料を用いて一体成形されている。スパウト２３は、傾斜シール部１６ｆにおいて、舟形部２１を前面部１１と後面部１２間に挟んだ状態で、前面部１１と後面部１２とに溶着されて、袋本体１６に取り付けられている。
【００３７】
なお、スパウト２３は、内容物Ｃを袋本体１６外へ注ぐ際の注ぎ易さを考慮して、図１に示すように、袋本体１６の上部の一側部に傾斜状に設けることが好ましいが、図１０に示すように、袋本体１６の上縁部の左右方向の中央部に、口部２２が上下方向に向くように設けることも可能である。また、注出具２０としては、スパウトに対して蓋部材を一体ヒンジを介して開閉自在に連結したものなど、注出具２０以外の周知の構成の注出具を採用することもできる。
【００３８】
本発明は、前述のようなガセット袋１０において、左右１対の折込部１３の少なくとも一方の高さ方向の途中部に、前後に配置される第１側部シール部１６ａと第２側部シール部１６ｂとを溶着してなるスポット溶着部１７を設けたことを特徴とするものであり、以下スポット溶着部１７の構成について詳細に説明する。
【００３９】
前後に配置される第１側部シール部１６ａと第２側部シール部１６ｂとを部分的に溶着してスポット溶着部１７を形成するため、図５（Ａ）及び図５（Ｂ）に示すように、スポット溶着部１７の形成位置において折込部１３の折込前部１３ａ及び折込後部１３ｂには貫通孔１３ｅが形成され、第１側部シール部１６ａと第２側部シール部１６ｂとを重ね合わせて貫通孔１３ｅの形成位置に加熱や超音波振動などにより溶着処理を施すことで、第１側部シール部１６ａを構成する前面部１１が三角フラップ１３ｃの前面に溶着され、第２側部シール部１６ｂを構成する後面部１２が貫通孔１３ｅを通じて三角フラップ１３ｃの後面に溶着されて、第１側部シール部１６ａと第２側部シール部１６ｂとが三角フラップ１３ｃを介して結合されることになる。ただし、スポット溶着部１７の形成位置に対応させて、三角フラップ１３ｃにも貫通孔を形成し、第１側部シール部１６ａの前面部１１と第２側部シール部１６ｂの後面部１２とを、貫通孔を通じて直接的に溶着することもできる。また、スポット溶着部１７を三角フラップ１３ｃの配設位置以外の位置に設ける場合には、三角フラップ１３ｃを介することなく、第１側部シール部１６ａの前面部１１と第２側部シール部１６ｂの後面部１２とを、貫通孔１３ｅを通じて直接的に溶着することになる。
【００４０】
スポット溶着部１７は、袋本体１６の左右両側に形成することが、形状安定性を向上する上で好ましいが、袋本体１６の左右の一方のみに形成することもできる。また、スポット溶着部１７の形状、大きさ、形成位置などの構成が、袋本体１６の左右両側に配置されるスポット溶着部１７において相互に相違するように構成することもできる。
【００４１】
また、スポット溶着部１７は、袋本体１６の一側に対して１個だけ形成することもできるし、複数個形成することもできる。例えば、図１１（Ａ）に示すように、スポット溶着部１７の下側にスポット溶着部１７Ａを形成することができる。なお、複数個のスポット溶着部を設ける場合には、下側のスポット溶着部１７Ａを上側のスポット溶着部１７よりも小径に構成することで、後述のようにスポット溶着部１７と折込部１３の縦折目線Ｌ間の間隔を広く設定して、把手部材３０のフック部３１や指を挿入し易くなるので好ましい。
【００４２】
スポット溶着部１７の形状は、円形や半円形、楕円形や長円形や卵形などのオーバル形状、正方形や長方形や三角形などの多角形状などの任意の形状に形成することができる。例えば図２に示すように、円形に形成したり、図１１（Ｂ）に示すスポット溶着部１７Ｂのように、上下方向の細長い長円形に形成したりすることができる。また、スポット溶着部１７を側縁に配置させる場合には、図１１（Ｃ）に示すスポット溶着部１７Ｃのように、半円形に形成したり、図１１（Ｄ）に示すスポット溶着部１７Ｄのように、縦割りにしたハート形状に形成したりしたものを採用できる。更に、スポット溶着部１７を複数個形成する場合には、形状や大きさの異なるものを任意に組みあわせて形成することもでき、また隣接するスポット溶着部１７の間隔及び配設位置も任意に設定することができる。
【００４３】
なお、補強シール部１６ｄ及び側部シール部１６ａ、１６ｂから離間して島状に、折込前部１３ａと前面部１１とを溶着してなる側部シール部と、折込後部１３ｂと後面部１２とを溶着してなる側部シール部とを形成し、該島状に形成した側部シール部の形成範囲内にスポット溶着部１７を設けることもできる。
【００４４】
図３に示すように、平板状に折り畳んだ状態の袋本体１６における、下部シール部１６ｇを除く前面部１１の下端部からスポット溶着部１７の下端部までの高さＨ１は、折込部１３の幅Ｗ以上に設定可能であるが、形状安定性を向上しつつ内容量を十分に確保するため、下部シール部１６ｇを除く折込部１３の高さＨの１５％〜９５％に設定することができる。特に、補強シール部１６ｄにスポット溶着部１７を設けたり、三角フラップ１３ｃの形成位置にスポット溶着部１７を設けたりすることが好ましい。このように構成すると、形状安定性を向上しつつ内容量を十分に確保できるとともに、第１側部シール部１６ａと第２側部シール部１６ｂのシール幅を十分に確保できるので、スポット溶着部１７を設けることによるシール性能の低下を防止できる。また、ガセット袋１０の落下時に、三角フラップ１３ｃに対応する折込部１３の上部の突出方向が内側から外側へ反転して、折込部１３が外方へ突出することをスポット溶着部１７により効果的に防止して、三角フラップ１３ｃの外端部の角部からガセット袋１０が破袋することを効果的に防止できる。
【００４５】
平板状に折り畳んだ袋本体１６における、袋本体１６の側縁からスポット溶着部１７の内方側端部までの幅Ｗ１は、任意に設定可能であるが、袋本体１６の側縁から折込部１３の縦折目線Ｌまでの幅Ｗの８０％以下、好ましくは５０％以下に設定することができる。このように構成すると、スポット溶着部１７と折込部１３の縦折目線Ｌ間に、第１側部シール部１６ａと第２側部シール部１６ｂとを溶着していない挿入部１９が形成され、この挿入部１９に手指や把手部材３０のフック部３１を挿入して、ガセット袋１０を支持することができる。
【００４６】
具体的には、図１２、図１３に示すように、略Ｕ字状の把手部材３０を用い、把手部材３０の両端部に設けたフック部３１の先端部を挿入部１９に挿入して、左右のフック部３１を左右のスポット溶着部１７に係合させて、把手部材３０によりガセット袋１０を支持するように構成できる。この場合には、例えば４リットル以上の大容量のガセット袋１０を無理なく容易に持ち運ぶことができる。また、図１４に示すように、スポット溶着部１７を上下に間隔をあけて１対設け、両スポット溶着部１７に把手部材３０Ａのフック部３１Ａを係合させて、ガセット袋１０を横向き姿勢で支持できるように構成することも可能である。更に、図１５に示すように、把手部材３０Ｂの一方の端部にフック部３１Ｂを形成し、他方の端部にスパウト２３の口部２２に外嵌可能なリング部３２を設け、持ち運び時だけでなく、ガセット袋１０を傾動させて口部２２から内容物Ｃを外部へ注出するときにおける操作性を向上することもできる。なお、スポット溶着部１７における外周部の溶着部分を残して中央部に貫通孔を形成し、この貫通孔にフック部３１を引っ掛けるように構成することもできる。
【００４７】
また、ガセット袋１０に対する付属品の取付部としてスポット溶着部１７を利用することもできる。例えば、図１６に示すように、付属品として口部２２に対して着脱自在に取り付けられるノズル部材３５を設け、取付具としてノズル部材３５を挿通する紐３６をスポット溶着部１７に引っ掛けて取り付けることができる。この場合には、口部２２に対してノズル部材３５を取り付けて、内容物Ｃを注出できるので、内容物Ｃの注出作業を一層向上にできる。また、硬質な樹脂容器や金属容器で構成されていた、例えば自動車のウィンドガラス用のウォッシャー液やエンジンオイル、自動二輪車用のエンジンオイルやギヤオイルなどをガセット袋１０に充填することもでき、容器の値段を格段に安くできるとともに、廃棄物の減容化も可能となる。なお、付属品としては、ノズル部材３５以外に、内容物の取り扱い説明書、内容物に関連する景品などを設けることも可能である。また、取付具としては、付属品を収容する小袋と、該小袋をスポット溶着部１７に引っ掛けて取り付ける紐とを備えたものなどを採用することができる。また、図１７に示すように、スポット溶着部１７として、環状のスポット溶着部１７Ｅを設け、該スポット溶着部Ｅの内側に第１側部シール部１６ａ及び第２側部シール部１６ｂを関する貫通孔２５を設けて、この貫通孔２５に紐３６やリング部材などの取付具を挿通させて、付属品を取り付けることもできる。貫通孔２５は、図１７に示すように円形に形成することもできるし、半円形、楕円形や長円形や卵形などのオーバル形状、正方形や長方形や三角形などの多角形状などの任意の形状に形成することができる。また、図１１に示すスポット溶着部１７Ｂ〜１７Ｄに貫通孔２５を形成する場合には、スポット溶着部１７Ｂ〜１７Ｄの外形に沿った形状の貫通孔を形成することもできる。
【００４８】
更に、図１６に示すように、前後に配置される第１側部シール部１６ａと第２側部シール部１６ｂ間の空間を付属品の収容部３７として活用することもできる。この場合には、付属品を収容部３７に収容することで、付属品がガセット袋１０の外方側へ大きく突出することを防止できるので好ましい。
【００４９】
スポット溶着部１７の面積は、任意に設定することができるが、少なくとも落下時の衝撃で、折込前部１３ａと折込後部１３ｂとの結合が分断されない程度の面積以上、例えば１０ｍｍ２以上、好ましくは３０ｍｍ２以上に設定することができる。また、フック部３１を引っ掛けてガセット袋１０を支持するように構成する場合には、ガセット袋１０の実容積などに応じて設定することになる。
【００５０】
このガセット袋１０では、袋本体１６の左右に折込部１３を設けているので、左右の折込部１３が展開することで、ガセット袋１０の内容量を大きく設定できる。また、左右の折込部１３の上部に三角フラップ１３ｃがそれぞれ形成されているので、シール性能を低下させることなく、袋本体１６の上端部の任意の位置に対してスパウト２３を設けるなどして注出口を形成することができる。更に、左右の折込部１３の少なくとも一方の高さ方向の途中部に、前後に配置される第１側部シール部１６ａと第２側部シール部１６ｂとを溶着するスポット溶着部１７を設けているので、内容物Ｃを充填した状態で、前面部１１の上半部及び後面部１２の上半部に、幅方向の略中央部を中心として外方へ山形に突出する、正面視において頂部を上側にした二等辺三角形状の隆起部１８がそれぞれ形成され、前後の隆起部１８の稜線が袋本体１６の幅方向の中央部に上下方向に形成されるので、袋本体１６の上部が前側又は後側へ倒れ込むことが防止されて、ガセット袋１０の縦向き姿勢での形状安定性を向上でき、ガセット袋１０の意匠性を向上できる。更にまた、ガセット袋１０の落下時における折込部１３の外方側への移動が、スポット溶着部１７により阻止されるので、折込部１３が外方側へ突出して破袋するという不具合を効果的に防止できる。また、例えば一方の手でガセット袋１０の上部を支持しながら、他方の手の人差し指などをスポット溶着部１７に引っ掛けて、ガセット袋１０を支持できるので、握力の弱い女性や子供、お年寄りでも、ガセット袋１０を傾動操作して、内容物Ｃを容易に注出することができる。更に、把手部材３０、３０Ａ、３０Ｂを用いると、把手部材３０に設けたフック部３１をスポット溶着部１７に引っ掛けたり、把手部材３０Ａに設けたフック部３１Ａを上下のスポット溶着部１７に引っ掛けたり、把手部材３０Ｂに設けたフック部３１Ｂをスポット溶着部１７に引っ掛けるとともにリング部３２を口部２２に引っ掛けたりすることで、実容量が４リットル以上のガセット袋１０であっても、内容物Ｃを充填した状態で容易に持ち運ぶこともできる。
【００５１】
なお、前記実施の形態では、図４に示すように、袋本体１６を構成する前面部１１と後面部１２と底面部１５と左右の折込部１３とをそれぞれ別個の計５枚のシート材で構成したが、図１８、図１９に示すガセット袋４０の袋本体４１のように、計４枚のシート材で構成することもできる。
【００５２】
以下、ガセット袋４０の構成について説明するが、前記実施の形態と同一部材には、同一符号を付してその詳細な説明を省略し、前記実施の形態のガセット袋１０と異なる構成の部分について説明する。
【００５３】
図１８、図１９に示すように、ガセット袋４０の袋本体４１は、前記実施の形態のガセット袋１０における底面部１５が省略されて、前面側シート４２及び後面側シート４３と、左右1対の折込部４４とで構成され、袋本体４１は、前記実施の形態と同様に、合成樹脂材料を用いた多層構造の軟質シートで構成されている。
【００５４】
折込部４４は、前記実施の形態の折込部１３における下部折込部１３ｄを省略し、前記折込部１３の下端部を前面側シート４２及び後面側シート４３の下端部まで延設し、図４Ａ及び図４Ｂに仮想線で示すように、前記折込部１３の下端近傍部に折込前部１３ａ及び折込後部１３ｂを貫通するように挿通孔４５を形成した以外は、前記折込部１３と同様に構成されている。
【００５５】
前記袋本体１６の左右両側部に配置される第１側部シール部１６ａ及び第２側部シール部１６ｂが、前面側シート４２及び後面側シート４３の下端部まで形成され、左右の第１側部シール部１６ａの下部と左右の第２側部シール部１６ｂの下部には、下側へ行くにしたがって内方側へ傾斜状に突出する傾斜溶着部４６がそれぞれ形成され、前後に配置される傾斜溶着部４６は、挿通孔４５において溶着されている。前面側シート４２及び後面側シート４３の下端部には左右両側に折込部４４の下端部を挟んだ状態で溶着されて、袋本体４１の下端開口部を封止する下端シール部４７が形成されている。
【００５６】
この袋本体４１では、平板状に折り畳んだ状態における袋本体４１の左右の傾斜溶着部４６の上端位置を結ぶ線分を基準線Ｅとした場合、袋本体４１における基準線Ｅよりも上側部分は、前記袋本体１６における底部シール部１６ｇよりも上側部分と同様に構成され、基準線Ｅよりも下側部分の下部構造により底面部４８が構成されることになる。このため、このガセット袋４０では、平板状に折り畳んだ状態における袋本体４１における、基準線Ｅから折込部４４の上端までの高さを高さＨとし、基準線Ｅからスポット溶着部１７の下端縁までの高さを高さＨ１として、スポット溶着部１７の下端の高さ位置を設定することになる。
【００５７】
なお、前記ガセット袋１０、４０は、第１側部シール部１６ａと第２側部シール部１６ｂとを部分的に溶着したスポット溶着部１７を備えたものであれば、それ以外の構成は任意に設定でき、例えば折込部１３、４４の上下方向の長さ及び左右方向の幅と、補強シール部１６ｄの形状、大きさ、個数と、スポット溶着部１７の形状、大きさ、個数、配設位置と、注出具２０の形状、配設位置などは任意に組み合わせて備えさせることができる。
【００５８】
また、図２０に示すガセット袋５０のように、スポット溶着部１７に代えて、スポット溶着部１７の形成位置に対応させて、第１側部シール部１６ａ及び第２側部シール部１６ｂを貫通する貫通孔５１を設けるとともに、貫通孔５１に途中部を挿通させて、第１側部シール部１６ａと第２側部シール部１６ｂとを連結する連結具５２を設けることもできる。なお、ガセット袋５０は、スポット溶着部１７に代えて貫通孔５１及び連結具５２を設けた以外は、前記ガセット袋１０又は前記ガセット袋４０と同様に構成できる。
【００５９】
貫通孔５１は、図２１に示すように、円形に形成することもできるし、半円形、楕円形や長円形や卵形などのオーバル形状、正方形や長方形や三角形などの多角形状などの任意の形状に形成することができる。貫通孔５１は、ガセット袋５０の落下時において、貫通孔５１を起点として、第１側部シール部１６ａ及び第２側部シール部１６ｂが容易に破損しないように、第１側部シール部１６ａ及び第２側部シール部１６ｂにその側縁から一定の距離をあけて設けることが好ましい。
【００６０】
連結具５２としては、貫通孔５１に途中部を挿通させて、第１側部シール部１６ａと第２側部シール部１６ｂとの離間方向への移動が規制されるように、両シール部１６ａ、１６ｂを連結可能なものであれば、リベットやスナップリベット、２重リングやボルトナット、紐などの任意の構成のものを採用することができる。例えば、図２２に示すように、貫通孔５１よりも大径の板状の規制部５３ａと、規制部５３ａの中央部から外方へ突出する突部５３ｂとを有する雄部材５３と、貫通孔５１よりも大径の板状の規制部５４ａと、規制部５４ａの中央部から外方へ突出する貫通孔５１よりも小径の筒部５４ｂとを有する雌部材５４とを備え、突部５３ｂの先端部に外方へ突出する係止部５３ｃを形成し、筒部５４ｂの内周面に係止部５３ｃに係合可能な係止溝５４ｃを形成したものを採用できる。この場合には、シール部１６ａ、１６ｂの貫通孔５１に筒部５４ｂを挿通させた状態で、貫通孔５１の反対側へ突出する筒部５４ｂに突部５３ｂを内嵌させて、袋本体１６に連結具５２を組付けてガセット袋５０を得ることになる。なお、図１７に示すように、環状のスポット溶着部１７Ｅで取り囲むように設けた貫通孔２５に対しても、貫通孔２５に途中部を挿通させて連結具５２を設けることができる。
【００６１】
このガセット袋５０では、連結具５２を取付けた位置において、第１側部シール部１６ａと第２側部シール部１６ｂとの離間方向への移動が規制されるので、スポット溶着部１７を設けた場合と同様に、ガセット袋５０を縦向きに自立設置した状態での形状安定性を向上でき、ガセット袋５０の意匠性を向上できること、ガセット袋５０の落下時に折込部１３が外方側へ突出して破袋するという不具合を効果的に防止できること、一方の手の指を連結具５２に引っ掛けて、内容物を容易に注出できること、別途に設けた把手部材のフック部を連結具５２に引っ掛けて、ガセット袋５０を容易に持ち運べること、などの作用効果が得られる。
【００６２】
以上、本発明の実施形態について説明したが、本発明は前述した実施形態に何ら限定されるものではなく、本発明の要旨を逸脱しない範囲においてその構成を変更し得ることは勿論である。
【符号の説明】
【００６３】
１０    ガセット袋
１１    前面部
１２    後面部
１３    折込部
１３Ａ  シート材
１３ａ  折込前部
１３ｂ  折込後部
１３ｃ  三角フラップ
１３ｄ  下部折込部
１３ｅ  貫通孔
１５    底面部
１６    袋本体
１６ａ  第１側部シール部
１６ｂ  第２側部シール部
１６ｃ  第３側部シール部
１６ｄ  補強シール部
１６ｅ  上部シール部
１６ｆ  傾斜シール部
１６ｇ  底部シール部
１７    スポット溶着部
１８    隆起部
１９    挿入部
２０    注出具
２１    舟形部
２２    口部
２３    スパウト
２４    蓋部材
２５    貫通孔
１６Ａｄ  補強シール部
１６Ｂｄ  補強シール部
１７Ａ  スポット溶着部
１７Ｂ  スポット溶着部
１７Ｃ  スポット溶着部
１７Ｄ  スポット溶着部
３０    把手部材
３０Ａ  把手部材
３０Ｂ  把手部材
３１    フック部
３１Ａ  フック部
３１Ｂ  フック部
３２    リング部
３５    ノズル部材
３６    紐
３７    収容部
４０    ガセット袋
４１    袋本体
４２    前面側シート
４３    後面側シート
４４    折込部
４５    挿通孔
４６    傾斜溶着部
４７    下端シール部
４８    底面部
５０    ガセット袋
５１    貫通孔
５２    連結具
５３    雄部材
５３ａ  規制部
５３ｂ  突部
５３ｃ  係止部
５４    雌部材
５４ａ  規制部
５４ｂ  筒部
５４ｃ  係止溝
Ｃ    内容物
Ｌ    縦折目線
Ｌ１  第１折目線
Ｌ２  第２折目線
Ｅ    基準線
Ｗ    縦折目線Ｌまでの幅
Ｗ１  スポット溶着部の内方側端部までの幅
Ｈ１  スポット溶着部の下端部の高さ
Ｈ    折込部の高さ
【図１】
2019199302.tif 000003
【図２】
2019199302.tif 000004
【図３】
2019199302.tif 000005
【図４】
2019199302.tif 000006
【図５】
2019199302.tif 000007
【図６】
2019199302.tif 000008
【図７】
2019199302.tif 000009
【図８】
2019199302.tif 000010
【図９】
2019199302.tif 000011
【図１０】
2019199302.tif 000012
【図１１】
2019199302.tif 000013
【図１２】
2019199302.tif 000014
【図１３】
2019199302.tif 000015
【図１４】
2019199302.tif 000016
【図１５】
2019199302.tif 000017
【図１６】
2019199302.tif 000018
【図１７】
2019199302.tif 000019
【図１８】
2019199302.tif 000020
【図１９】
2019199302.tif 000021
【図２０】
2019199302.tif 000022
【図２１】
2019199302.tif 000023
【図２２】
2019199302.tif 000024